(57)【要約】【課題】遊技球を揚送装置に接触させず、遊技球が揚送装置内で詰まる現象をなくし、スムースに遊技球の揚送が行われる遊技球揚送装置を備えたパチンコ機を提供する。【解決手段】遊技盤の上部に発射された遊技球が、遊技盤面を下降する間に、各種入賞口に入賞するように設けたパチンコ機において、遊技盤３０を下降した遊技球３３が遊技球揚送装置５０によって上昇し、入賞口に入賞するチャンスが再び得られるようにしたことを特徴とするパチンコ機である。遊技球揚送装置５０は、パチンコ機遊技盤面の後部で環状体５３を回転駆動させ、環状体に遊技盤前面の遊技球を吸引作用する磁石５４を設け、環状体を回転駆動して磁石５４を上下動し、遊技盤前面の遊技球３３を吸着しながら揚送又は下降することを特徴とする。【選択図】    図１
2004337482.tif 000002
【特許請求の範囲】
【請求項１】
遊技盤の上部に発射された遊技球が、遊技盤面を下降する間に、各種入賞口に入賞するように設けたパチンコ機において、前記遊技盤を下降した遊技球が遊技球揚送装置によって上昇し、前記入賞口に入賞するチャンスが再び得られるようにしたことを特徴とするパチンコ機。
【請求項２】
前記遊技球揚送装置は、パチンコ機遊技盤面の後部で環状体を回転駆動させ、該環状体に遊技盤前面の遊技球に吸引作用する磁石を設け、前記環状体を回転駆動装置で回転して環状体に設けた磁石を上下動し、遊技盤前面の遊技球を吸着しながら揚送又は下降することを特徴とする請求項１記載のパチンコ機。
【請求項３】
前記遊技球揚送装置は、パチンコ機遊技盤の後部で遊技盤前面の遊技球を吸着する磁石を装着したチェンを回転駆動装置で回転してチェンに設けた前記磁石を上下動し、遊技盤前面の遊技球を吸着しながら揚送又は下降することを特徴とする請求項１乃至２記載のパチンコ機。
【請求項４】
前記遊技盤の前面で、前記球揚送装置で揚送された遊技球を横方向に案内する案内片と該案内された遊技球を受けて横方向に流す球樋とからなる球案内装置を設けたことを特徴とする請求項１乃至３記載のパチンコ機。
【請求項５】
前記球案内装置の球樋底面に、前記球揚送装置で揚送される遊技球が通過する開口部を設けたことを特徴とする請求項１乃至４記載のパチンコ機。
【請求項６】
前記球揚送装置の磁石の吸引力が遊技盤前面の遊技球に作用する位置に、遊技球を前記磁石の吸引位置に誘導する下部球受け片を設けたことを特徴とする請求項１乃至５記載のパチンコ機。
【発明の詳細な説明】
【０００１】
【発明の属する技術分野】
本発明はパチンコ機の遊技盤面上に設けて遊技球の流れに変化を持たせたパチンコ機、及びそのための遊技球揚送装置に関するものである。
【０００２】
【従来の技術】
従来、この種パチンコ機の遊技球揚送装置に、図４に示すものが開示されているこのものは、円柱体８の外周面に形成された螺旋溝１０と、円柱体回転手段と、螺旋溝に遊技球を導入するための導入手段１６と、導入手段に遊技球を投入するための投入手段２３ａと、螺旋溝に導入されたパチンコ玉を上昇案内するための案内部材と、を備え、導入手段は、螺旋溝に導入されたパチンコ玉が通過できる隙間を形成しながら、円柱体の下端部を同心状に囲む短尺筒体４０と、短尺筒体４０の下端部で周方向に離間する遊技球を導入するための導入孔群４４と隣接する導入孔間に位置する短尺筒体４０の内壁面から突出する案内片群とからなり、遊技球を短尺筒体４０内に引き入れるための磁力手段１０ｍを配置して設けたものである。
【０００３】
【参考文献１】
特開２０００−１３５３６７
【０００４】
【発明が解決しようとする課題】
しかしながら、上記従来の遊技球揚送装置は、回転する円柱体８の螺旋溝１０上を遊技球が上昇するが、遊技球が螺旋溝１０に接触しているため、螺旋溝と案内片との間に遊技球が詰まって、円柱体８の回転が行われなくなってしまう問題があった。
本発明は、上記した問題を解決しようとするもので、遊技球を遊技球揚送装置に接触させず、遊技球が揚送装置内に詰まる現象をなくし、スムースな遊技球の揚送又は下降が行われる遊技球揚送装置、およびこれを遊技盤面に応用して一度流下した遊技球が再度入賞口に入賞するチャンスが得られ大きな興趣が得られるパチンコ機を提供するものである。
【０００５】
【課題を解決するための手段】
本発明の要旨は、遊技盤の上部に発射された遊技球が、遊技盤面を下降する間に、各種入賞口に入賞するように設けたパチンコ機において、前記遊技盤を下降した遊技球が遊技球揚送装置によって上昇し、前記入賞口に入賞するチャンスが再び得られるようにしたことを特徴とするパチンコ機である。
【０００６】
上記本発明の構成によって、入賞口に入賞せずに遊技盤を下降した遊技球が再度上昇し、再度下降するので、遊技盤の釘や入賞口などの配置構成によっては入賞口に入賞するチャンスが再び得られる。このため遊技者にとっては入賞口に入賞するチャンスが増し、大きなゲームの興趣が得られる。
【０００７】
本発明の請求項２の発明は、上記における遊技球揚送装置は、パチンコ機遊技盤面の後部で環状体を回転駆動させ、該環状体に遊技盤前面の遊技球に吸引作用する磁石を設け、前記環状体を回転駆動装置で回転して環状体に設けた磁石を上下動し、遊技盤前面の遊技球を吸着しながら揚送又は下降することを特徴とするパチンコ機である。
【０００８】
上記の構成によって、遊技盤前面の遊技球は、遊技盤面の後部に設けた遊技球揚送装置によって上昇ないし下降する。即ち遊技盤後部に設けた環状体に磁石が設けられており、環状体の回転方向によって該磁石が上昇乃至下降し、磁石は遊技盤面を形成するセル板の後部からセル板前部の遊技球を吸引するので、遊技球は吸引された状態で上昇ないし下降する。遊技球揚送装置はセル板で遊技者から見えず、遊技球上昇の仕掛けが分からず、興趣が得られる。
【０００９】
本発明の請求項３の発明は、上記のおける遊技球揚送装置は、パチンコ機遊技盤の後部で遊技盤前面の遊技球を吸着する磁石を装着したチェンを回転駆動装置で回転してチェンに設けた前記磁石を上下動し、遊技盤前面の遊技球を吸着しながら揚送又は下降することを特徴とするパチンコ機である。
【００１０】
上記の構成であるから、遊技盤の後部でチェンが駆動され、チェンに設けた磁石が遊技盤前面の遊技球を吸引し、チェンの動きに従って遊技球が上下動する。従って遊技盤の前面で遊技球のみが上下動し、遊技者にとっては仕掛けが分からず興趣が得られる。チェンはプラスチック製のものが使用でき、プラスチック製のチェンに磁石を装着できる。チェンは遊技盤を形成するセル板裏面に近接状態で上下するようにスプロケットホイルで回転駆動が行える。尚、チェンに代えてベルトで設けることも可能である。
【００１１】
本発明の請求項４の発明は、前記遊技盤の前面で、前記球揚送装置で揚送された遊技球を横方向に案内する案内片と該案内された遊技球を受けて横方向に流す球樋とからなる球案内装置を設けたことを特徴とするパチンコ機である。
【００１２】
上記本発明の構成によって、遊技盤裏面の球揚送装置で揚送された前面の遊技球は、遊技盤前面に設けた球案内装置の案内片によって横方向に移され球樋によって離れた位置に流下放出される。この球案内装置によって、揚送される磁石の吸引力から離脱され、揚送位置から離れた位置へ放出されるため、磁石の吸引力が遊技盤の前面で遊技球に作用し続け、詰まりなどの不具合が生じることがない。
【００１３】
本発明の請求項５の発明は、前記球案内装置の球樋底面に、前記揚送装置で揚送される遊技球が通過する開口部を設けたことを特徴とするパチンコ機である。
【００１４】
上記本発明の構成によって、遊技盤裏面の球揚送装置で揚送された前面の遊技球は、球案内装置の球樋に開けられた開口部を通過して球樋の上部に上げられ、球樋の上部で案内片によって横方向に移され球樋に載置され、離れた位置に流下放出される。この球樋に設けた開口部により、遊技盤前面のスペースが狭くても確実に球樋に載置出来、遊技球を揚送部から離れた位置へ放出できる。
【００１５】
本発明の請求項６の発明は、前記球揚送装置の磁石の吸引力が遊技盤前面の遊技球に作用する位置に、遊技球を前記磁石の吸引位置に誘導する下部球受け片を設けたことを特徴とするパチンコ機である。
【００１６】
上記の構成によって、遊技球は下部球受け片で磁石の吸引力が作用する位置に案内され、その時点で球揚送装置の磁石が遊技球に近い位置に来て遊技球に吸引力が働いていれば、遊技球は裏面の磁石に吸着されながらチェンの動きに伴って上昇する。
また下部球受け片で案内された時点で磁石の吸引力が作用していなければ、下部球受け片を通過して遊技盤の下部へ放出される。
【００１７】
【発明の実施の形態】
以下、本発明の実施の形態を図面に基づいて説明する。
図１、図２、図３は本発明の一実施例のパチンコ機を示し、図１は遊技盤断面の遊技球揚送装置５０を示す。図２は図１の平面図で、図３は遊技盤前面を示す正面図である。
図１、図２において、遊技盤３０の前面で遊技球３３が転動してパチンコゲームが行われる。遊技盤３０はベニヤ板３１’上にプラスチック化粧板セル３１を貼付けて形成される。遊技盤上の一部ベニヤ板３１’に貫通穴３２が開けられ、貫通穴３２に遊技球揚送装置５０が設けられている。
【００１８】
遊技球揚送装置５０は、上下に設けたスプロケットホイール５１、５２に噛み合ってプラスチックチェン５３を回転させ、チェン５３上に磁石５４を設けたもので、磁石５４は遊技盤を形成するプラスチックセル３１の裏面に近接回転するように設けられている。またプラスチックチェン５３と磁石５４は接着剤で固定されている。スプロケットホイール５１を回転駆動するステッピングモータ５５は、速度、回転方向の制御が可能で、遊技状態によって調節され、モータ５５の回転方向によってチェンに設けた磁石５４が上下に動き、従って遊技盤前面に吸着した遊技球３３を上下に移動させる。遊技球３３は遊技盤３０セル３１の前面を転動しており、磁石５４はプラスチック製セル板３１を介して遊技球３３を吸着する磁力を備えた磁石５４が用いられている。
【００１９】
図３は、本発明のパチンコ機遊技盤３０の前面を示す図で、前記遊技球揚送装置５０は遊技盤のセル３１で隠れて、遊技者から見えず、下部球受け片６４と上部の球案内装置６０及び上昇移動する遊技球３３のみが見える。
遊技盤３０の上部に遊技球３３が発射され、弾発移動中に各種入賞口に入賞するパチンコ機ゲームが行われる。入賞が外れた遊技球の内落下移動した遊技球３３が下部球受け片６４に受け止められ、裏面の球揚送装置の磁石５４の吸引力が作用する位置に案内される。案内された時点で球揚送装置の磁石が遊技球に近い位置に来て遊技球に吸引力が働いていれば、遊技球は裏面の磁石に吸着されながらチェンの動きに伴って上昇する。
【００２０】
裏面の遊技球揚送装置５０の磁石５４に吸着され上昇した遊技球３３は、上部に設けた球案内装置６０の球樋６２底面に設けた開口部６３を通過し、球樋６２上の案内片６１で横方向に移動される。案内片６１による移動で裏面磁石５４の吸着力から離脱された遊技球３３は、球樋６２に載置され、球樋６２によって球揚送装置の吸引力から離れた位置に放出される。このため、再度遊技盤上を落下し再び入賞口に入賞するチャンスが得られる。
【００２１】
【発明の効果】
以上説明のように本発明のパチンコ機は、遊技盤を下降した遊技球が再度上昇して再度下降するので、入賞口に入賞するチャンスが再び得られ、遊技者にとっては大きな興趣が得られるパチンコ機である。
また遊技盤面上に球案内装置６０を設けたので、球案内装置の案内片６１で上昇した遊技球を確実に横方向に案内し、球樋６２上に載置し、磁石の吸引力から離れた位置に放出できる。
更に球樋６２の底面に開口部６３を設けたことで、確実に上昇した遊技球を球樋に載置できる。
このようにして遊技盤上で遊技球３３が詰まることがなく、また球揚送装置５０の内部でも詰まることがなく、遊技球を確実に円滑に移動される。
また遊技者からは、遊技球が上昇する仕掛けが判らず、遊技における興趣が増す。
【図面の簡単な説明】
【図１】本発明の一実施例を示すパチンコ機の遊技球揚送装置を示す側面図である。
【図２】本発明の一実施例を示す図１の平面図である。
【図３】本発明の一実施例の遊技盤前面を示す正面図である。
【図４】従来技術を示す図である。
【符号の説明】
３０  遊技盤                        ３１セル
３１’ベニヤ板                      ３２  貫通穴
３３  遊技球                        ５０  遊技球揚送装置
５１、５２  スプロケットホイル      ５３  チェン
５４  磁石                          ５５  モータ
６０  球案内装置                    ６２  球樋
６３  開口部                        ６４  下部球受け片
【図１】
2004337482.tif 000003
【図２】
2004337482.tif 000004
【図３】
2004337482.tif 000005
【図４】
2004337482.tif 000006